(57)【要約】      （修正有）【課題】包装商品の展示、販売後のケース再利用時の付加価値を高めた電子機器の音響スタンドに変形可能なケースを提供する。【解決手段】縦長直方体形状のケースは、前面１０、裏面２０、左右側面３０、頂面４０、底面からなる。ケースの縦方向中間位置で、横方向に折曲げ線１１と切離し線１２がケースを一周し、横方向の折曲げ線はケースの裏面に形成され、同横方向の折曲げ線の下方に電子機器の音通過用穴２１が形成され、ケースの表面に位置する横方向の切離し線の位置からケースの上端部に亘り縦方向の切離し線１３が両切離し線に沿って切離し可能に形成される。さらに、横方向の切離し線位置からケースの上端部の間において横方向の折曲げ線と切離し線に平行して横方向に第２の折曲げ線１４がケースを一周して形成されて、縦方向の切離し線に沿って切離されたケース部分を外側に開き音響反射板の一部とする。【選択図】図３
0003172813.tif 000002
【実用新案登録請求の範囲】
【請求項１】
前面（１０）、裏面（２０）、左右側面（３０）、頂面（４０）および底面（５０）からなる縦長の直方体形状のケースにおいて、ケースの縦方向の中間位置において横方向に折曲げ線（１１）および切離し線（１２）がケースを一周しており、該横方向の折曲げ線（１１）はケースの裏面（２０）に形成されており、ケースの裏面（２０）の横方向の折曲げ線（１１）の下方に電子機器の音を通過させる穴（２１）が形成されており、ケースの表面（１０）に位置する横方向の切離し線（１２）の位置からケースの上端部に亘り縦方向の切離し線（１３）が形成されており、前記横方向の切離し線（１２）位置から前記ケースの上端部の間において前記横方向の折曲げ線（１１）および切離し線（１２）に平行して横方向に第２の折曲げ線（１４）がケースを一周して形成されていることを特徴とする電子機器の音響スタンドに変形可能なケース。
【請求項２】
前面（１０）、裏面（２０）、左右側面（３０）、頂面（４０）および底面（５０）からなる縦長の直方体形状のケースにおいて、ケースの縦方向の中間位置において横方向に折曲げ線（１１）および切離し線（１２）がケースを一周しており、該横方向の折曲げ線（１１）はケースの裏面（２０）に形成されており、ケースの裏面（２０）の横方向の折曲げ線（１１）の下方に電子機器の音を通過させる穴（２１）が形成されており、ケースの表面（１０）に位置する横方向の切離し線（１２）の位置からケースの上端部に亘り縦方向の切離し線（１３）が形成されており、前記横方向の切離し線（１２）位置から前記ケースの上端部の間において前記横方向の折曲げ線（１１）および切離し線（１２）に平行して横方向に第２の折曲げ線（１４）がケースを一周して形成されており、
前記ケースは、前記横方向の切離し線（１２）および縦方向の切離し線（１３）に沿って切離し可能であり、該縦方向の切離し線（１３）に沿って切離されたケース部分を外側に開いて音響反射板の一部とすることを特徴とする音響スタンドに変形可能なケース。
【請求項３】
前記ケースの上端部側を折曲げ線（１１）に沿ってケースの裏側に折曲げ、前記第２の折曲げ線（１４）に沿ってさらに手前側に折曲げて頂面（４０）および頂面から突出した舌片（４１）を下側のケース部分（８０）に底から差込み、第２の折曲げ線（１４）から上の部分（６０）がスタンドの支え部の底となり、折曲げ線（１１）、切離し線（１２）と第２の折曲げ線（１４）との間の部分（７０）が音響反射板となり、ケースの上半分を裏側に折曲げることにより、電子機器の音響スタンドに変形すること特徴とする請求項１または２に記載の電子機器の音響スタンドに変形可能なケース。
【請求項４】
前記音響反射板にスピーカーが描かれていること特徴とする請求項１〜３の何れか１項に記載の電子機器の音響スタンドに変形可能なケース。
【考案の詳細な説明】
【技術分野】
【０００１】
本考案は、電子機器の音響スタンドに変形可能なケースに関する。より詳しくは、本考案は、携帯電話、スマートフォン等の電子機器、もしくはそれらのカバー、付属品などの商品、または鉛筆、ファーストフード、食品、惣菜、名刺などの商品を収納し、スペースを取ることなく立体的に陳列、展示することができるとともに、商品の陳列、展示に供した後には、電子機器の音響スタンドに変形可能なケースを提供するものである。
【背景技術】
【０００２】
従来から、携帯電話、スマートフォン、携帯音楽プレイヤー等の電子機器やその他の商品、またはそれらのカバーもしくは付属品などの商品を収納し、立体的に陳列、展示するために種々のケースが提案され、また、実用に供されている。
【０００３】
例えば、特許文献１（特開２００６−２１９１９４号公報）には、直方体形状のケースを長手方向の中間部から中折れ状態で二つ割り可能とした、靴下、下着、ハンカチなどの商品の包装および展示用に用いることができる外装ケースが開示されている。
【０００４】
特許文献２（実用新案登録第３１５１１７３号公報）には、長手方向の中間部から中折れ状態で二つ割り可能としたキャラメル箱タイプの包装容器を、鉛筆などを包装し、さらに展示用のスタンド容器として再利用可能とすることが開示されている。
【０００５】
また、特許文献３（実用新案登録第３１３４２４８号公報）には、ファーストフード、食品、惣菜などの包装用ケースの頭部を舌片とし、舌片を反転して包装していたファーストフード、食品、惣菜などを効果的に展示することが開示されている。
【０００６】
特許文献４（実用新案登録第３０９５９０６号公報）には、名刺などを収納するケースを、スタンド状に立たせることができるようにして、名刺の整理等を容易に行なえるようにした名刺ケースが開示されている。
【０００７】
さらに、特許文献５（実用新案登録第３０６１０６２号公報）には、商品包装用のパッケージを、使用済み後に写真立て等の他の用途に再利用可能としたスタンド付パッケージが開示されている。
【先行技術文献】
【特許文献】
【０００８】
【特許文献１】特開２００６−２１９１９４号公報
【特許文献２】実用新案登録第３１５１１７３号公報
【特許文献３】実用新案登録第３１３４２４８号公報
【特許文献４】実用新案登録第３０９５９０６号公報
【特許文献５】実用新案登録第３０６１０６２号公報
【考案の概要】
【考案が解決しようとする課題】
【０００９】
特許文献１の外装ケースは、商品の包装および展示用に用いた後には廃棄されるため、商品の包装、展示にのみ利用されるに過ぎず、資源の無駄となっている。
【００１０】
特許文献２のキャラメル箱タイプの鉛筆などの包装容器は、スタンド容器として鉛筆などの展示に再利用できるため、資源の無駄をある程度減らすことができる。しかし、特許文献２の包装容器では、鉛筆などの展示に再利用するだけのため、再利用の用途が限られている。
【００１１】
特許文献３のファーストフード、食品、惣菜などの包装用ケースは、ケース頭部の舌片を反転して包装していたファーストフード、食品、惣菜などの展示に利用できる。このため、資源の無駄をある程度減らすことができる。しかし、特許文献３の包装容器では、包装していたファーストフード、食品、惣菜などの展示に利用するだけのため、利用の用途が限られている。
【００１２】
特許文献４の名刺ケースは、ケースをスタンド状に立たせることにより、収納した名刺を外部から確認することができる。しかし、特許文献４の名刺ケースでは、名刺の収納、展示に利用するだけのため、利用の用途が限られている。
【００１３】
特許文献５のスタンド付パッケージは、商品包装に使用した後のパッケージを写真立て等として展示に利用するだけのため、利用用途が限られている。
【００１４】
本考案は、このような従来技術に付随している再利用の用途が限られているという欠点を減少またはなくし、特に、包装した商品を展示、販売後におけるケースの再利用時の付加価値を高めてケースの再利用を促進し、資源の再利用を一層図るようにした電子機器の音響スタンドに変形可能なケースを提供することを目的とする。
【課題を解決するための手段】
【００１５】
本考案においては、上記目的を前面、裏面、左右側面、頂面および底面からなる縦長の直方体形状のケースにおいて、ケースの縦方向の中間位置において横方向に折曲げ線および切離し線がケースを一周しており、該横方向の折曲げ線はケースの裏面に形成されており、ケースの裏面の横方向の折曲げ線の下方に電子機器の音を通過させる穴が形成されており、ケースの表面に位置する横方向の切離し線の位置からケースの上端部に亘り縦方向の切離し線が形成されており、前記横方向の切離し線位置から前記ケースの上端部の間において前記横方向の折曲げ線および切離し線に平行して横方向に第２の折曲げ線がケースを一周して形成されていることを特徴とする電子機器の音響スタンドに変形可能なケースにより、達成する。
【００１６】
本考案においては、前記ケースは、前記横方向の切離し線および縦方向の切離し線に沿って切離し可能であり、該縦方向の切離し線に沿って切離されたケース部分を外側に開いて音響反射板の一部とすることが好ましい。
【００１７】
さらに、本考案においては、前記ケースの上端部側を折曲げ線に沿ってケースの裏側に折曲げ、前記第２の折曲げ線に沿ってさらに手前側に折曲げて頂面および頂面から突出した舌片を下側のケース部分に底から差込み、第２の折曲げ線から上の部分がスタンドの支え部の底となり、折曲げ線、切離し線と第２の折曲げ線との間の部分が音響反射板となり、ケースの上半分を裏側に折曲げることにより、電子機器の音響スタンドに変形することが好ましい。
【００１８】
また、本考案のケースにおいては、前記音響反射板にスピーカーが描かれていることが好ましい、
【考案の効果】
【００１９】
本考案においては、縦長の直方体形状のケースに商品を包装して、展示、販売後に、そのケースを、横方向の切離し線および縦方向の切離し線に沿って切離し、縦方向の切離し線に沿って切離されたケース部分を外側に開いて音響反射板の一部とすることにより、音響スタンドに変形可能なケースとすることができる。
【００２０】
この場合に、本考案においては、従来のケースでは採用されていない電子機器から出る音をケースの裏面に形成した穴から外へ出しており、ケースの後側方に形成した音響反射板により電子機器から出た音を反射させて、音響効果を高めることができる。
【００２１】
また、本考案によれば、包装時に商品を収容していたケースの一部に電子機器を収納し、ケースの後側方に形成した音響反射板により電子機器から出る音を反射させるので、非常にコンパクトで可愛らしく、美的な効果が高いものが得られる。
【００２２】
さらに、本考案のケースにおいては、前記音響反射板にスピーカーや操作ボードなどが描かれていると、可愛らしさを一層高めることができる。
【００２３】
これらにより、本考案によれば、包装ケースとして使用後の再利用範囲が広がり、資源を一層有効利用することができる。
【図面の簡単な説明】
【００２４】
以下、本考案の実施例を図示した添付図面を参照して、本考案を詳細に説明する。なお、添付図面中、細かい破線は影になった部分を示し、長い破線は切離し線を示し、一点鎖線は折曲げ線を示す。
【図１】ケースを表側から見た斜視図であり、図１（ａ）はケースを表側から見た斜視図であり、図１（ｂ）はケースを裏側から見た斜視図である。なお、図中、図３に描かれているスピーカーや操作ボードは省略している。
【図２】ケースを切離し線１２、切離し線１３に沿って切離し、切離し線１３に沿って外側に開いた状態を示す斜視図である。
【図３】電子機器の音響スタンドに変形した状態を示す斜視図である。
【考案を実施するための形態】
【実施例】
【００２５】
以下、本考案の一実施例を図示した図面を参照して、本考案を詳細に説明する。ケースを表側から見た斜視図を示す図１（ａ）、ケースを裏側から見た斜視図を示す図１（ｂ）において、縦長の直方体形状のケースは、前面１０、裏面２０、左右側面３０、頂面４０および底面５０により構成されている。
【００２６】
より詳しくは、図示していないが、展開した状態では、例えば、左側面３０、前面１０、右側面３０および裏面２０が横方向に隣接しており、左右側面３０の一方の開放端部に、ケースの材質が紙の場合には糊代が、また、ケースの材質がプラスチックの場合には接着代または融着代が形成され、その糊代または接着代もしくは融着代により、左右側面３０の他方の開放端部に糊付けし、または接着または融着して筒状とする。
【００２７】
さらに、図１（ａ）、（ｂ）および図２に示すように、裏面２０の上下端部にそれぞれ隣接して、頂面４０および底面５０が形成されている。頂面４０の上端部は舌片４１に連なり、底面５０の下端部は舌片（図示せず）に連なっている。各舌片４１等を、前述した筒状の前面１０、裏面２０、左右側面３０に挿入することにより、縦長の直方体形状のケースとなる。
【００２８】
また、符号４２は左右側面３０の上端部に連設された他の舌片であり、左右側面３０の下端部にも同様に他の舌片（図示せず）が連設されている。
【００２９】
以上の説明においては、ケースの一実施例の展開状態に基き説明したが、言うまでもなく、本考案はこの展開状態に限られるものではなく、他の展開状態とすることも可能である。
【００３０】
以上のように構成されたケースは、携帯電話、スマートフォン等の電子機器、もしくはそれらのカバー、付属品などの商品、または鉛筆、ファーストフード、食品、惣菜、名刺などの商品を収納し、スペースを取ることなく立体的に陳列、展示することに用いることができる。
【００３１】
図１（ａ）、（ｂ）において、ケースの縦方向の中間位置において、折曲げ線１１および切離し線１２がケースを横方向に一周している。ここに、横方向の折曲げ線１１はケースの裏面２０に形成されており、一方、横方向の切離し線１２はケースの表面１０および表面１０の左右の側面３０に形成されている。
【００３２】
図１（ｂ）において、手前側に見えるケースの裏面２０において、横方向の折曲げ線１１の下方位置に電子機器の音を通過させる穴２１が形成されている。図１（ａ）、（ｂ）においては、裏面２０に穴２１が２箇所形成されているが、穴２１の数は２個に限られず、適宜増減することができる。
【００３３】
図１（ａ）において、手前側に見えるケースの表面１０に横方向の切離し線１２が位置し、横方向の切離し線１２の位置からケースの上端部頂面４に亘り縦方向の切離し線１３が形成されている。
【００３４】
また、横方向の切離し線１２の位置からケースの上端部頂面４の間において、横方向の折曲げ線１１および横方向の切離し線１２に平行して、第２の折曲げ線１４がケースを横方向に一周して形成されている。
【００３５】
このケースにおいては、図２に示すように、横方向の切離し線１２および縦方向の切離し線１３に沿って切離し可能である。表面１０を縦方向の切離し線１３に沿って切離し、切離されたケース部分（表面１０および左右の側面３０）を外側に開いて音響反射板の一部とする。
【００３６】
次いで、図３に示すように、ケースの上端部側を折曲げ線１１に沿ってケースの裏側に折曲げる。さらに、第２の折曲げ線１４に沿ってケース部分（表面１０および左右の側面３０）をさらに手前側に折曲げ、頂面４０および頂面４０から突出した舌片４１を下側のケース部分８０に底から差込む。
【００３７】
このようにして、上述の折り曲げ前には第２の折曲げ線１４から上にあった部分６０が、図３に示すように、スタンドの支え部の底となる。また、折曲げ線１１または切離し線１２と第２の折曲げ線１４との間の部分７０が音響反射板となる。すなわち、ケースの上半分を裏側に折曲げることにより、電子機器の音響スタンドに変形する。
【００３８】
この状態で、図３に示すように、前面１０、裏面２０および左右側面３０の各下半分の部分並びに底面５０により構成されたケース部分に、携帯電話、スマートフォン等の電子機器Ｍを装着する。
【００３９】
電子機器Ｍから音楽の演奏、放送などを行なうと、その音は裏面２０に形成された穴２１を通過し、音響反射板７０により反射されて、音響効果を高めた状態で電子機器Ｍの前方にいる視聴者に届く。
【００４０】
本考案においては、図３に示すように、音響反射板７０にスピーカーＳや操作ボードＢなどを描くと、上述のようにして電子機器Ｍからの出た音楽の演奏、放送などによる音が音響反射板７０により反射されて、音響効果を高めた状態であることを目に訴えることができる。
【００４１】
以上のように、本考案においては、縦長の直方体形状のケースに商品を包装して、展示、販売後に、そのケースを、横方向の切離し線および縦方向の切離し線に沿って切離し、縦方向の切離し線に沿って切離されたケース部分を外側に開いて音響反射板の一部とすることにより、音響スタンドに変形可能なケースとすることができる。
【００４２】
この場合に、本考案においては、電子機器から出る音をケースの裏面に形成した穴から外へ出し（これは従来のケースでは採用されていない）、ケースの後側方に形成した音響反射板により電子機器から出た音を反射させて、音響効果を高めることができる。
【００４３】
また、本考案によれば、包装時に商品を収容していたケースの一部に電子機器を収納し、ケースの後側方に形成した音響反射板により電子機器から出る音を反射させるので、非常にコンパクトで可愛らしく、美的な効果が高いものが得られる。
【００４４】
さらに、本考案のケースにおいては、前記音響反射板にスピーカーや操作ボードＢなどが描かれていると、可愛らしさを一層高めることができる。
【００４５】
これらにより、本考案によれば、包装ケースとして使用後の再利用範囲が広がり、資源を一層有効利用することができる。
【符号の説明】
【００４６】
１０  前面
１１  横方向の折曲げ線
１２  横方向の切離し線
１３  縦方向の切離し線
１４  第２の折曲げ線
２０  裏面
２１  電子機器の音を通過させる穴
３０  左右側面
４０  頂面
４１  舌片
４２  他の舌片
５０  底面
６０  上の部分（スタンドの支え部の底）
７０  音響反射板
８０  下側のケース部分
Ｓ  スピーカー
Ｂ  操作ボード
Ｍ  電子機器
【図１】
0003172813.tif 000003
【図２】
0003172813.tif 000004
【図３】
0003172813.tif 000005